(57)【要約】【課題】滑り止め機能及びクッション性を有すると共に、デザイン的にも優れた滑り防止具を提供する。【解決手段】  皿状で透明な上皮層４の内側空間に軟質樹脂５を注入してなる履物用の滑り防止具である。前記上皮層４の表面には滑り止め加工を施すと共に、前記軟質樹脂５の裏側表面は粘着性を有し、着脱自在である。さらに、前記軟質樹脂５に網状生地９を埋め込んでいる。前記網状生地９はレース刺繍生地であることが好ましい。前記軟質樹脂５は自己粘着性を有する、透明な軟質ポリウレタンであることが好ましい。【選択図】図３
0003188852.tif 000002
【実用新案登録請求の範囲】
【請求項１】
皿状で透明な上皮層（４）の内側空間に軟質樹脂（５）を注入してなる履物用の滑り防止具であって、前記上皮層（４）の表面には滑り止め加工を施すと共に、前記軟質樹脂（５）の裏側表面は粘着性を有し、着脱自在としたものにおいて、前記軟質樹脂（５）に網状生地（９）を埋め込んだことを特徴とする、履物用の滑り防止具。
【請求項２】
前記網状生地（９）がレース刺繍生地である請求項１記載の滑り防止具
【請求項３】
粘着性を有する前記軟質樹脂（５）前記表面を離型シート（８）で覆った請求項１又は２記載の滑り防止具。
【請求項４】
前記上皮層（４）の表面の滑り止め加工が、上皮層（４）上に一体成形された多数の小突起（４１）である請求項１〜３のいずれかに記載の滑り防止具。
【請求項５】
前記軟質樹脂（５）が自己粘着性を有する、透明な軟質ポリウレタンである請求項１〜４のいずれかに記載の滑り防止具。
【請求項６】
前記上皮層（４）の表面に抗菌加工を施した請求項１〜５のいずれかに記載の滑り防止具。
【請求項７】
請求項１ないし６のいずれかに記載の滑り防止具を中敷本体（３）に着脱自在に取り付けたことを特徴とする履物。
【請求項８】
履物がヒールサンダル（１）である請求項８記載の履物。
【考案の詳細な説明】
【技術分野】
【０００１】
本考案は、履物用の滑り防止具及びこれを有する履物に関する。本考案の滑り防止具は、かかとの高い女性用ハイヒール型サンダルやミュール（本明細書では、「ヒールサンダル」と総称する）に最も適しているが、そのクッション性を活かしてかかとの低い履物にも適用可能である。
【背景技術】
【０００２】
履物の中敷きにすべり止め機能及びクッション性を与えるためのものとして、例えば下記特許文献１〜５に記載するような発明・考案が知られている。いずれも、靴中敷きの形状にした柔軟なシートによって密封平袋を形成し、この平袋の中に液体を封入してなる中敷きである。封入する液体は、例えば水又は液体グリセリンである。
【０００３】
上記する密封平袋はいずれも透明または白色であり、デザイン的に物足りないものであった。
【０００４】
これに対して、中敷にプリント模様を配する考案も現れており、例えば実用新案第３０２７４３０号（特許文献６）、意匠登録第１４４９５１６号（特許文献７）、意匠登録第１４４９５１７号（特許文献８）、意匠登録第１４４９５１５号（特許文献９）、意匠登録第１２８６４１４号（特許文献１０）が知られている。
【先行技術文献】
【特許文献】
【０００５】
【特許文献１】特開２００５−１４３９３８公報
【特許文献２】特開平５−３０９００３号公報
【特許文献３】特開平８−２４００６号公報
【特許文献４】特開平９−３７８０７号公報
【特許文献５】実用新案登録第３００７７２０号公報
【特許文献６】実用新案登録第３０２７４３０号公報
【特許文献７】意匠登録第１４４９５１６号
【特許文献８】意匠登録第１４４９５１７号
【特許文献９】意匠登録第１４４９５１５号
【特許文献１０】意匠登録第１２８６４１４号
【考案の概要】
【考案が解決しようとする課題】
【０００６】
上記特許文献６の考案は、中敷と本底との間に絵柄模様を施した生地を配設し、その上を透明な中敷で覆ってなるものである。
【０００７】
上記特許文献７〜１０は、模様を表示したフィルムを埋設してなる中敷に関する意匠登録である。
【０００８】
これら特許文献６〜１０の絵柄模様の詳細は明記されていないが、その添付図から見て常識的にはプリント模様であると考えられる。
【０００９】
本考案は、滑り止め機能及びクッション性を有すると共に、デザイン的にも優れた滑り防止具を提供することを目的とする。
【課題を解決するための手段】
【００１０】
本考案の履物用の滑り防止具は、皿状で透明な上皮層（４）の内側空間に軟質樹脂（５）を注入固化してなる履物用の滑り防止具であって、前記上皮層（４）の表面には滑り止め加工を施すと共に、前記軟質樹脂（５）の裏側表面は粘着性を有し、着脱可能としたものにおいて、前記軟質樹脂（５）に網状生地（９）を埋め込んだことを特徴とする（請求項１）。
【００１１】
網状生地（９）として好ましいのはレース刺繍生地である。その他、方形又は多角形の穴を有するネットやメッシュシートなども使用できる（請求項２）。
【００１２】
販売時には、粘着性を有する前記軟質樹脂（５）の裏側表面を離型シート（７）で覆っておくのが普通である（請求項３）。
【００１３】
上皮層（４）の表面の滑り止め加工は、例えば、上皮層（４）上に一体成形された多数の小突起（４１）である（請求項４）。
【００１４】
軟質樹脂（５）としては透明な軟質ポリウレタンが好ましい（請求項５）。
【００１５】
上皮層（４）の表面には抗菌加工を施すのが好ましい（請求項６）。
【００１６】
これらの履物用の滑り防止具は、例えばヒールサンダル（１）に使用することができる。
【考案の効果】
【００１７】
上記したように、本考案でも前記特許文献１〜５と同様、柔軟なシートに注入された軟質物質を使用する。そのため、中身がクッション作用をもたらし、足にかかる負担を和らげて疲れにくくする共に足裏を適度に刺激しマッサージ効果をもたらす。
【００１８】
また、本考案の滑り防止具は、特許文献１と同様、中敷本体の先端部に取付け・取外し自在に取り付けるので、設定位置について微妙な調節が可能である。また、取り外して繰り返し洗うことができるのでいつも清潔に保つことができる。
【００１９】
しかしまた、本考案の滑り防止具は、前記従来技術１〜１０と異なり、網状生地による模様を有するので、模様がプリントのような平面ではなく、わずかではあるが立体的なものとなり、デザイン的に斬新なものとなっている。
【００２０】
さらに、本考案の滑り防止具では、網状生地の糸が軟質樹脂に埋め込まれているので、軟質樹脂の動きを適度に阻止して引き締めるので、滑り防止具を保護強化するという補強効果が得られる。
【００２１】
さらに、透明な上皮層及び望ましくは透明な軟質樹脂を採用することで、ヒールサンダルの表生地が、網状生地を通して透けてみえることで、色のバリエーションが豊富なヒールサンダルのカラー訴求を妨げず、高級感を醸すことができる。
【図面の簡単な説明】
【００２２】
【図１】本考案の１実施例に係る滑り防止具を取り付けたヒールサンダル１の斜視図である。
【図２】図１の滑り防止具の（ａ）平面図、（ｂ）背面図、（ｃ）側面図、（ｄ）前記（ａ）のＸ−Ｘ断面図である。
【図３】図１の滑り防止具の展開斜視図である。
【考案を実施するための形態】
【００２３】
本考案において、軟質樹脂収容空間を構成する上皮層として、皿状の透明なポリウレタン樹脂シートが好ましい。
【００２４】
この上皮層の表面には滑り止め加工を施すのが好ましい。滑り止め加工としては、例えば表側のポリウレタン樹脂シートに、多数の小突起を設ける方法、シリコーン粒子を吹き付けて加熱する方法、シリコーン粒子とポリウレタン粒子を練り込み加熱成型する方法などがある。
【００２５】
上皮層が形成する窪みに軟質樹脂が注入固化される。軟質樹脂としては、軟質で、透明かつ自己粘着性があり、無害なポリウレタン樹脂が好ましいが、それらの資質が確保されればそれ以外の樹脂でもよい。
【００２６】
軟質樹脂の注入に先だって、上皮層に接するように、網状生地を配置しておく。軟質樹脂は網状生地を包み込むように窪みに充満固化される。軟質樹脂と網状生地は絡まって、しっかりと位置固定される。網状生地としてはレース刺繍生地が好ましい。レース刺繍生地は平面的な薄層であるが、透明な上皮層を通して少し立体的に見える。そのためプリント模様と比較して高級感を醸し出すことができる。レース糸は１色に限られず、多色としてもよい。
【００２７】
滑り防止具の形状や大きさは足裏の前半部（「足の触球」と呼ばれる部分である）に十分接触するものであれば足りる。接触面積としては縦横１５〜１００ｃｍ2程度が好ましい。軟質樹脂注入固化後の盛り上がり高さは、最高位置で２〜５ｍｍ程度で十分である。
【００２８】
滑り防止具の上皮層には抗菌加工を施すのが好ましい。抗菌加工としては、従来公知の抗菌剤（例えば、各種有機シリコーン系第４級アンモニウム塩、アルキルリン酸エステルの第４級アンモニウム塩、抗菌性金属イオンを有する無機系抗菌剤等）を、前記シートに、含浸、塗布、散布などの方法で付加させればよい。
【００２９】
ヒールサンダルに取り付けやすいように、軟質樹脂の裏側表面は粘着性を持たせている。そのためには軟質樹脂自体が自己粘着性を有するものとすることが好ましい。そうすることにより、埃等の付着により接着性が落ちても水洗いにより容易に回復させることができる。
【００３０】
軟質樹脂の裏側表面は使用時まで離型シートで覆っておくことが好ましい。そうすることにより、必要なときに離型シートをはがして中敷本体に取り付けることができる。ヒールサンダルの市販状態において、予め滑り防止具を取り付けておいてもよく、その場合は、離型シートは不要である。
【実施例１】
【００３１】
以下、添付の図面に基づいて、本考案の実施例を説明する。
【００３２】
図１に示すように、この滑り防止具２はヒールサンダル１の中敷本体３の先端部に取り付ける。具体的には、足裏の前半部である。
【００３３】
滑り防止具２は、図２、３に示すように、上皮層４を有する。形状は、最大径約１０ｃｍ、最小径約５ｃｍの不定形であり、材質は透明なポリウレタン樹脂シートを使用した。
【００３４】
上皮層４には滑り止め加工及び抗菌加工が施されている。滑り止め加工としては、上皮層４に多数の小突起４１を一体成形により設けている。抗菌加工としては、抗菌性金属イオンを有する無機系抗菌剤を表面側の合成樹脂シートに含浸させる方法を使用した。
【００３５】
この皿状上皮層４の窪み空間に軟質樹脂５を注入し、固化させた。軟質樹脂５としては、自己粘着性を有する、透明な軟質ポリウレタンを使用した。注入後の滑り防止具の最大高さは３ｍｍ程度である。
【００３６】
軟質樹脂５の注入固化に先だって、上皮層に接するように、レース刺繍生地９を配置した。軟質樹脂はレース刺繍生地９を包み込むように収容袋に充満した。軟質樹脂５とレース刺繍生地９は絡まって、しっかりと位置固定された。
【００３７】
ヒールサンダル１と滑り防止具を別売りするときには、滑り防止具２の裏側は使用時まで離型シート７で覆った。
【符号の説明】
【００３８】
１     ヒールサンダル
２     すべり防止具
３     中敷
４     上皮層
４１   小突起
５     軟質樹脂
７     離型シート
９     レース刺繍生地（網状生地）
【図１】
0003188852.tif 000003
【図２】
0003188852.tif 000004
【図３】
0003188852.tif 000005
【手続補正書】
【提出日】平成25年11月29日(2013.11.29)
【手続補正１】
【補正対象書類名】実用新案登録請求の範囲
【補正対象項目名】全文
【補正方法】変更
【補正の内容】
【実用新案登録請求の範囲】
【請求項１】
皿状で透明な上皮層（４）の内側空間に軟質樹脂（５）を注入してなる履物用の滑り防止具であって、前記上皮層（４）の表面には滑り止め加工を施すと共に、前記軟質樹脂（５）の裏側表面は粘着性を有し、着脱自在としたものにおいて、前記軟質樹脂（５）に網状生地（９）を埋め込んだことを特徴とする、履物用の滑り防止具。
【請求項２】
前記網状生地（９）がレース刺繍生地である請求項１記載の滑り防止具
【請求項３】
粘着性を有する前記軟質樹脂（５）前記表面を離型シート（７）で覆った請求項１又は２記載の滑り防止具。
【請求項４】
前記上皮層（４）の表面の滑り止め加工が、上皮層（４）上に一体成形された多数の小突起（４１）である請求項１〜３のいずれかに記載の滑り防止具。
【請求項５】
前記軟質樹脂（５）が自己粘着性を有する、透明な軟質ポリウレタンである請求項１〜４のいずれかに記載の滑り防止具。
【請求項６】
前記上皮層（４）の表面に抗菌加工を施した請求項１〜５のいずれかに記載の滑り防止具。
【請求項７】
請求項１ないし６のいずれかに記載の滑り防止具を中敷本体（３）に着脱自在に取り付けたことを特徴とする履物。
【請求項８】
履物がヒールサンダル（１）である請求項７記載の履物。